(57)【要約】【課題】靴に向かっていずれの方向から当てられる光に対してもその光を反射してその靴を履いた人の存在が確認されるようにする。【解決手段】靴底の外周のほゞ全面、及び/又は靴底の上縁とアッパーとの接合線（ラインピース)のほゞ全周に光の反射機能を持たせて、いずれの方向から当てられる光に対してもその光を反射するように構成した。【選択図】図１
2005040365.tif 000002
【特許請求の範囲】
【請求項１】
履物の底部の外周の全面またはほゞ全面、及び/又は靴底の上縁とアッパーとの接合線(ラインピース)の全周またはほゞ全周に光の反射機能を持たせたことを特徴とする履物。
【請求項２】
外側面の、少なくともラインピース3の外周面に相当する部分に光の反射機能を持たせ、内側面に接着剤を塗布したテープ状の布材5にラインピース3を巻き包んで布材5の中にラインピース3を塗着すると共に布材5の内側面同士を接着させることを特徴とする
光の反射機能を有するラインピースの製法。
【発明の詳細な説明】
【技術分野】
【０００１】
本発明は、靴やサンダルの底部（靴底、サンダル台）の外周面、及び／又は靴のラインピースの周面に光の反射機能を有する履物に関するものである。
【背景技術】
【０００２】
夜間や薄暗い時刻に路上にいると、人は自動車の運転者から見えにくゝて、自動車に衝てられたりする危険がある。
そこで、自動車によるこのような危険を避けるために、路上で作業をする人は光を反射する機能を有する作業衣や襷などを着用して、自動車の前照灯を当てられるとその光を反射して運転者に自己の存在が確実に認識されるようにしている。
しかしながら、主として「健康」などを目的としてこのような時刻に歩いたり走ったりする人にとってはこのような特定の衣服などは着用することができない。
そのため従来からこのように人は、アッパーの部位の側面や踵の部分後ろなどに反射機能を有する布材を取り付けた靴が用いられていた。
【０００３】
通常、靴はアッパーの部分と靴底の部分は材質がまったく相違するものゝ、両者はともに無地色であり、スポーツシューズやジョギングシューズ等の特殊な用途のものだけがアッパーの部位にその靴のメーカーを表す意匠が施されているに過ぎない。
光の反射機能を有する布材は靴のアッパーとは異質なものであるから、靴の意匠性を損なうことのないことが求められるので、比較的小さなものでなければならず、その取付け位置は靴のアッパーの部位の側面と踵の後ろ面とに限られたのである。
そのためこの種の靴では光を反射する面積が極めて狭いため自動車の運転者からは見えにくい、と云う不具合があった。
しかも寒い時期にはズボンやパンツをはく人が多く、殊に高齢者は足首を覆うような長めのものを履くことが多いので、このような履物では反射性布材がその裾により覆い隠されてしまってその機能を発揮することができなくなる可能性が生じる。
このようなことから日没後の交通事故が増大している。本発明は、このような事故を解消する対策として、静岡県警察本部の依頼と協力を受けて行ったものである。
【発明の開示】
【発明が解決しようとする課題】
【０００４】
解決しようとする問題点は、路上にいる人に対して自動車の前照灯は側方や後方からだけでなく、前方や斜方などからも向けられるので、上記したような限定された狭い範囲にだけに反射性布材の取り付けられた履物はその方向からだけしか目視確認できないため殆んど実効性がなかった点である。
【課題を解決するための手段】
【０００５】
本発明は、靴底などの外周のほゞ全面、及び/又は靴底の上縁とアッパーとの接合線(ラインピース)のほゞ全周に光の反射機能を持たせたことを最も主要特徴とする。
【発明の効果】
【０００６】
本発明の履物は、靴底などのほゞ全周にわたって光の反射機能を持たせたことにより、ズボンやパンツの裾によって覆い隠されることなく、全ての方向から当てられる光も反射するので、その存在が確実に認識されるという利点がある。
【発明を実施するための最良の形態】
【０００７】
靴を履いた人の存在が確実に認識されるという目的を、履物自体の意匠をなんら損なうことなく、むしろ意匠性を高めた状態で実現した。
【実施例１】
【０００８】
図１は、本発明に係る光の反射機能を有する履物の1実施例を示す説明図であり、靴底の上縁とアッパーとの間にラインピースを有する靴を例にして、靴底の外周及びラインピースとに光の反射機能を持たせたものゝ一例を示してある。
【０００９】
この実施例では履物は、靴底とラインピースの部分に光の反射機能を持たせてあり、それ以外は通常のこの種の靴と変わるところはない。
すなわち図中符号1はアッパー、2は靴底、3はラインピースであり、これらは通常の歩行用やジョギング用の靴のものと同様である。
この実施例では履物は、靴底2の外周面とラインピース3に光の反射機能を持たせてある。
反射機能を持たせる手段については特に限定はしない。
靴底2の外周面については、例えば通常の方法により成形された靴底2の外周面に光の反射機能を有するフィルム4を貼着するか、又はその面に光の反射機能を有する塗料を塗布してその塗膜を形成することもできるし、あるいは靴底2自体を光の反射機能を有する材料を用いて成形することもできる。
要は、靴底2の外周面の全周若しくはほゞ全周に光の反射機能が生じるようにすればよい。又、ラインピースについては、靴底の外周面の場合と同じく、その外周面に光の反射機能を有するフィルムを貼着するか、またはその面に光の反射機能を有する塗料を塗布してその塗膜を形成することもできる。
図では、ラインピース3に光の反射機能を有するテープ状の布材5を巻き包んで見かけ上のラインピースとし、これを靴の所定の位置に取り付けたものを示してある。
このラインピースを製造するには、外側面の、少なくともラインピース3の外周面に相当する部分に光の反射機能を持たせたテープ状の布材5の内側面に接着剤を塗布し、これによりラインピース3を巻き包んで布材5の中にラインピース3を貼着する。
すると、上下面が布材5により構成された(見かけ上の)光の反射機能を有するラインピースとなる。
この見かけ上のラインピースは布材5がアッパー1と靴底2に対する接着代となり、本来のラインピース3に比べて接着代が格段に広くなるので、アッパー1と靴底2との間の所定の位置に確実に取り付けられる効果があり、換言すればラインピース3が細い棒状のものであっても確実に取り付けられるのである。
尚、図示の実施例では図2に示したように、ラインピース3は外面の幅を広くし、且つその外周面を僅かな凸面形状にし、光の反射機能を有するテープ状の布材5をそれに巻き包んで見かけ上のラインピースとし、これを靴の所定の位置に取り付けることにより、凸面形状の反射面にしてある。
即ち、ラインピース3をこのような形状にすると、外面が平坦に形成されたものに比べて光の反射光が見えやすくなり、実際のものよりも更に幅の広いラインピース3が取り付けられているような効果が生じるのである。
【００１０】
図示の実施例では、靴底2の外周とラインピース3に光の反射機能を持たせたものを示したが、必ずしも両者にその機能を持たせる必要はなく、少なくともいずれか一方にその機能を持たせればその効果は得られる。
又、光の反射機能は靴底2の外周やラインピース3に間断なく持たせる必要はなく、すべての方向から確認をすることのできる範囲内で間歇的に持たせればよい。
【産業上の利用可能性】
【００１１】
この発明は靴の意匠性を損なうことがなく、むしろ意匠の効果を高めることもあるので、健康を目的として履く靴に限らず゛通常のファッション性の高い靴にも適用することができるので、サンダルや工事用の保安靴等にも用いることができる。
【図面の簡単な説明】
【００１２】
【図１】履物の1実施例を示す一部切欠説明図である。
【図２】ラインピースの1例を示す説明図である。
【符号の説明】
【００１３】
１    アッパー
２    靴底
３    ラインピース
４    フィルム
5    布材
【図１】
2005040365.tif 000003
【図２】
2005040365.tif 000004